(57)【特許請求の範囲】
【請求項１】
吸水性の加湿部と、大気中での放電により空気から正イオン及び負イオン発生するイオン発生装置と、開口面を一面に有した有底筒状のカップ状に形成される容器とを備え、  前記加湿部が前記容器内に着脱自在に設けられるとともに、前記イオン発生装置が前記容器内に配され、吸水した前記加湿部を装着した前記容器を把持して前記開口面の周縁が肌表面に押し当てられることにより、密閉状態に配される前記容器内に充満する加湿された空気中に前記正イオン及び前記負イオンを含み、前記正イオン及び前記負イオンを含む空気が前記開口面を介して肌表面に接触することを特徴とする美顔器。
【請求項２】
前記正イオンがＨ3Ｏ+（Ｈ2Ｏ）ｍ（ｍは０または任意の自然数）であり、前記負イオンがＯ2-（Ｈ2Ｏ）ｎ（ｎは０または任意の自然数）であることを特徴とする請求項１に記載の美顔器。
【発明の詳細な説明】
【技術分野】
【０００１】
本発明は、肌表面にイオンを照射する美顔方法及び美顔器に関する。
【背景技術】
【０００２】
従来の美顔器は特許文献１に開示されている。この美顔器は筐体内に設けた送風通路内に送風機及びイオン発生装置が配される。イオン発生装置は送風通路内の空気中で放電して正イオン及び負イオンを発生する。送風機の駆動により送風通路内に気流が発生し、イオンを含む空気が送風通路の一端に設けられる吹出口から肌表面に向けて照射される。これにより、肌水分量が増加して真皮の水分保持機能が向上し、肌表面の保湿効果を得ることができる。
【先行技術文献】
【特許文献】
【０００３】
【特許文献１】特開２０１１−９８１８７号公報（第５頁−第１１頁、第２図）
【発明の概要】
【発明が解決しようとする課題】
【０００４】
近年、老若男女を問わず、美容に対する関心がより高まってきている。また、冷暖房機等の使用や生活リズムの乱れ等によって肌への負担が増え、乾燥肌を気にする人が増えてきている。このため、より保湿効果の高い美顔方法や美顔器が求められる。
【０００５】
本発明は、肌表面の保湿効果を向上できる美顔方法及び美顔器を提供することを目的とする。
【課題を解決するための手段】
【０００６】
上記目的を達成するために本発明の美顔方法は、大気中での放電により空気から発生する正イオン及び負イオンを加湿された空気とともに肌表面に照射することを特徴としている。
【０００７】
この構成によると、大気中で放電して空気から正イオン及び負イオンが発生し、加湿された空気中に正イオン及び負イオンが含まれる。正イオン及び負イオンを含む空気は肌表面に照射され、肌表面が保湿される。
【０００８】
また本発明は、上記構成の美顔方法において、前記正イオンがＨ３Ｏ＋（Ｈ２Ｏ）ｍ（ｍは０または任意の自然数）であり、前記負イオンがＯ２−（Ｈ２Ｏ）ｎ（ｎは０または任意の自然数）であることを特徴としている。
【０００９】
また本発明は、上記構成の美顔方法において、加湿された空気中で放電して前記正イオン及び前記負イオンを発生したことを特徴としている。
【００１０】
また本発明の美顔器は、大気中での放電により空気から正イオン及び負イオン発生するイオン発生装置と、周囲から取り込まれた空気を加湿する加湿部とを備え、前記加湿部により加湿された空気中に前記正イオン及び前記負イオンを含み、吹出口から肌表面に向けて照射することを特徴としている。
【００１１】
この構成によると、イオン発生装置によって大気中で放電して空気から正イオン及び負イオンが発生し、加湿部により加湿された空気中に正イオン及び負イオンが含まれる。正イオン及び負イオンを含む空気は吹出口から肌表面に照射され、肌表面が保湿される。
【００１２】
また本発明は、上記構成の美顔器において、前記正イオンがＨ３Ｏ＋（Ｈ２Ｏ）ｍ（ｍは０または任意の自然数）であり、前記負イオンがＯ２−（Ｈ２Ｏ）ｎ（ｎは０または任意の自然数）であることを特徴としている。
【００１３】
また本発明は、上記構成の美顔器において、前記加湿部で加湿された空気中で前記イオン発生装置によって放電して前記正イオン及び前記負イオンを発生したことを特徴としている。
【００１４】
また本発明は、上記構成の美顔器において、前記吹出口の相対湿度を７０％以上にしたことを特徴としている。
【発明の効果】
【００１５】
本発明によると、放電により空気から発生する正イオン及び負イオンを加湿された空気とともに肌表面に照射するので、肌水分量が増加して肌表面の保湿効果を向上させることができる。
【図面の簡単な説明】
【００１６】
【図１】本発明の第１実施形態の美顔器を示す斜視図
【図２】本発明の第１実施形態の美顔器を示す側面断面図
【図３】本発明の第１実施形態の美顔器のイオン発生装置を示す側面断面図
【図４】本発明の第１実施形態の美顔器による肌水分量の変化率を示す図
【図５】本発明の第２実施形態の美顔器を示す斜視図
【図６】本発明の第２実施形態の美顔器を示す正面図
【発明を実施するための形態】
【００１７】
以下に本発明の実施形態を図面を参照して説明する。図１は第１実施形態の美顔器を示す斜視図である。美顔器１は卓上等に設置される本体部２の後部に着脱自在の水タンク２１が配される。本体部２の後部の周面にはグリル状の吸込口５が開口し、上面には環状の吹出口６が開口する。吹出口６の後方には操作部３が設けられる。
【００１８】
図２は美顔器１の側面断面図を示している。本体部２の後方の底部には上面を開放する貯水トレイ２２が配される。貯水トレイ２２には底面から突出する突出部２２ａが設けられる。水タンク２１は一端に設けた開口部２１ａを塞ぐキャップ（不図示）が螺合し、キャップを取り外して開口部２１ａから給水される。
【００１９】
キャップには注水口（不図示）及び注水口を開閉する止水弁２１ｂが設けられる。開口部２１ａを下方に配して水タンク２１が貯水トレイ２２上に装着されると、突出部２２ａが止水弁２１ｂを押圧して注水口から貯水トレイ２２に注水される。これにより、貯水トレイ２２に加湿用の水が貯水される。
【００２０】
貯水トレイ２２には吸水性の多孔質体等から成る加湿フィルタ２３が下端を浸漬して立設される。これにより、加湿フィルタ２３が貯水トレイ２２から吸水し、加湿フィルタ２３を通過する空気が加湿される。従って、加湿フィルタ２３は吸込口５を介して周囲から取り込まれた空気を加湿する加湿部を構成する。
【００２１】
本体部２内には吸込口５と吹出口６とを連通させる送風通路４が設けられる。加湿フィルタ２３は送風通路４内に配置され、加湿フィルタ２３と吹出口６との間には送風機７が配される。送風機７はシロッコファンにより形成され、送風機７の駆動によって吸込口５から周囲の空気が吸い込まれて吹出口６から送出される。送風機７をターボファンやプロペラファンにより形成してもよい。
【００２２】
送風機７と吹出口６との間には送風通路４に面してイオン発生装置１０が配される。図３はイオン発生装置１０の斜視図を示している。イオン発生装置１０は本体ケース１４により覆われ、本体ケース１４の上面には、例えば直径８ｍｍ程度に形成されたイオンの放出孔１４ａ、１４ｂが開口する。放出孔１４ａ、１４ｂ内には針状の放電電極１１ａ、１１ｂが配される。また、放電電極１１ａ、１１ｂの周囲に対向配置される環状の対向電極１２ａ、１２ｂが放出孔１４ａ、１４ｂに沿って配される。
【００２３】
対向電極１２ａ、１２ｂは接地され、放電電極１１ａ、１１ｂは本体ケース１４内に配される高圧電源（不図示）に接続される。一方の放電電極１１ａには正の高圧パルス電圧（例えば、周波数６０Ｈｚ、尖頭電圧約２ｋＶ）が印加される。他方の放電電極１１ｂには負の高圧パルス電圧（例えば、周波数６０Ｈｚ、尖頭電圧約２ｋＶ）が印加される。これにより、放電電極１１ａ、１１ｂの先端部と対向電極１２ａ、１２ｂとの間で放電が起こり、プラズマが発生する。生成されたプラズマによって空気中の酸素（Ｏ２）や水（Ｈ２Ｏ）等の分子がエネルギーを受ける。
【００２４】
印加電圧が正電圧の場合は空気中の水分子が電離してオキソニウムイオン（Ｈ３Ｏ＋）を生成する。このオキソニウムイオンが溶媒和エネルギーにより空気中の水分子とクラスタリングしてＨ３Ｏ＋（Ｈ２Ｏ）ｍ（ｍは０または任意の自然数）から成る正イオンを主として発生する。そして、放電電極１１ａを配した放出孔１４ａから正イオンが放出される。
【００２５】
印加電圧が負電圧の場合は空気中の酸素分子または水分子が電離して酸素イオンＯ２−を生成する。この酸素イオンが溶媒和エネルギーにより空気中の水分子とクラスタリングしてＯ２−（Ｈ２Ｏ）ｎ（ｎは任意の自然数）から成る負イオンを主として発生する。そして、放電電極１１ｂを配した放出孔１４ｂから負イオンが放出される。
【００２６】
この時、放電電極１１ａ、１１ｂの印加電圧が高くなると、人体に有害なオゾン（Ｏ３）の発生量が増加する。このため、オゾンの発生量が許容量（例えば、０．１ＰＰＭ）以下となる電圧が放電電極１１ａ、１１ｂに印加される。
【００２７】
上記構成の美顔器１は吹出口６を使用者の顔に向けて卓上等に設置され、操作部３の操作によって運転が開始されると送風機７及びイオン発生装置１０が駆動される。送風機７の駆動によって室内の空気が周囲から吸込口５に吸い込まれ、送風通路４内を流通する。送風通路４を流通する空気は加湿フィルタ２３を通過して加湿される。
【００２８】
加湿フィルタ２３を通過した空気にはイオン発生装置１０で発生した正イオン及び負イオンが含まれる。そして、吹出口６から使用者の顔に向けて正イオン及び負イオンを含む空気が送出され、使用者の肌表面に照射される。
【００２９】
図４は美顔器１による肌水分量の変化量を測定した結果を示す図である。縦軸は肌水分量の変化率（単位：％）を示し、横軸は経過時間（単位：分）を示している。肌水分量の変化を測定する試験はランダム化６試験区クロスオーバー試験とし、２４名の被験者を４名ずつの６グループに分けて各グループ毎に以下の４つの試験区で実施した。
【００３０】
試験区１ではイオン発生装置１０を停止し、貯水トレイ２２に無給水の状態で送風機７を駆動して送風のみを行っている。試験区１の結果は図中、Ａ（×のマーカー）で示している。
【００３１】
試験区２ではイオン発生装置１０を停止し、貯水トレイ２２に給水した状態で送風機７を駆動して加湿した空気を送出している。試験区２の結果は図中、Ｂ（正方形のマーカー）で示している。
【００３２】
試験区３ではイオン発生装置１０を駆動し、貯水トレイ２２に無給水の状態で送風機７を駆動してイオンを送出している。試験区３の結果は図中、Ｃ（三角形のマーカー）で示している。
【００３３】
試験区４ではイオン発生装置１０を駆動し、貯水トレイ２２に給水した状態で送風機７を駆動してイオンを含む加湿した空気を送出している。試験区４の結果は図中、Ｄ（白丸のマーカー）で示している。
【００３４】
また、図中、Ｅ（黒丸のマーカー）は、試験区２（Ｂ）及び試験区３（Ｃ）における肌水分量の変化量の積を示している。
【００３５】
各試験室の温度は２６℃を目標に空気調和機により調節し、湿度はデシカント式除湿機により４０％を目標に調節している。被験者はクレンジングミルクと洗顔フォームで洗顔した後、試験室に入室させている。試験室内で被験者は椅子に座った状態で、試験機の運転前８０分間、試験機の運転後６０分間、停止後６０分間の計２００分間安静に過ごさせた。これを午前、午後で各１回ずつ実施した。
【００３６】
また、被験者の顔に吹出口６からの風が当たるように正面に美顔器１を配置し、顔面と吹出口６との距離を８０ｃｍ、試験区３、４の顔面のイオン濃度を２５，０００個／ｃｍ３とした。試験区２〜４における美顔器１の加湿量は３０ｍＬ／時とし、吹出口６での相対湿度を７０％以上にしている。
【００３７】
肌水分量の測定は美顔器１の運転開始から１０分毎に１時間行っている。また、（株）インテグラル社製コルネオメーターＣＭ８２５を用いて左目の横１ｃｍのこめかみ部分の同一箇所を測定した。
【００３８】
図４によると、試験区１（Ａ：送風のみ）、試験区２（Ｂ：加湿）、試験区３（Ｃ：イオン）に比して、試験区４（Ｄ：加湿＋イオン）での肌水分量が増加する。また、試験区２及び試験区３においても肌水分量が微増するが、これらを個別に組み合わせても図中、Ｅに示すように試験区４での肌水分量よりも少ない。
【００３９】
従って、加湿した空気にイオンを含んで肌表面に照射することにより、肌表面の保湿効果を向上させることができる。また、試験区４での肌水分量は試験区２、３に比して試験開始１０分後から肌水分量の増加量が大きく、保湿効果を急速に得ることができる。
【００４０】
尚、吹出口６から送出されるＨ３Ｏ＋（Ｈ２Ｏ）ｍから成る正イオン及びＯ２−（Ｈ２Ｏ）ｎから成る負イオンにより、式（１）〜（３）で示されるナノサイズの水分子が生成される。この時、肌表面に−ＯＨ基が付着して局所的に親水化されて水分子が肌に浸透しやすくなる。このため、正イオン及び負イオンにより生成される水分子及びクラスタリングされた水分子が肌に効率よく吸着して保湿されると考えられる。
【００４１】
（１）  Ｈ３Ｏ＋＋Ｏ２−→・ＯＨ＋Ｈ２Ｏ２
（２）  Ｈ３Ｏ＋＋Ｏ２−→・Ｏ２Ｈ＋Ｈ２Ｏ
（３）  ２Ｈ２Ｏ２→２Ｈ２Ｏ＋Ｏ２
【００４２】
本実施形態によると、放電により空気から発生する正イオン及び負イオンを加湿された空気とともに吹出口６から肌表面に照射するので、肌水分量が増加して肌表面の保湿効果を向上させることができる。
【００４３】
また、大気中での放電により空気から正イオン及び負イオン発生するイオン発生装置１０と、周囲から取り込まれた空気を加湿する加湿フィルタ２３（加湿部）とを備えるので、加湿した空気にイオンを含んで肌表面に照射する美顔器１を容易に実現することができる。
【００４４】
また、正イオンがＨ３Ｏ＋（Ｈ２Ｏ）ｍであり、負イオンがＯ２−（Ｈ２Ｏ）ｎであるので、容易に肌水分量を増加させることができる。
【００４５】
また、吹出口６の相対湿度を７０％以上にしているので、保湿効果を確実に向上させることができる。
【００４６】
本実施形態において、送風通路４を分岐してイオン発生装置１０と加湿フィルタ２３とを別の通路に配置し、吹出口６近傍で合流させてもよい。これにより、加湿された空気中にイオンを含み、吹出口６から送出することができる。しかしながら、本実施形態のように、加湿フィルタ２３により加湿された空気中にイオン発生装置１０によってイオンを発生すると、構造を簡素化できるためより望ましい。
【００４７】
次に、図５、図６は第２実施形態の美顔器を示す斜視図及び正面図である。説明の便宜上、前述の図１〜図３に示す第１実施形態と同様の部分には同一の符号を付している。美顔器４１は一面に開口面４２ａを開口した有底筒状のカップ状に形成された容器４２を有している。開口面４２ａの周縁にはシリコンゴム等の弾性体から成るパッキン４４が設けられる。パッキン４４を肌表面に密着して開口面４２ａを塞ぐことにより、容器４２内が密閉されるようになっている。
【００４８】  容器４２の内周面には環状の加湿部２５が着脱自在に設けられる。加湿部２５は吸水性を有するスポンジ状に形成され、容器４２内の空気を加湿する。容器４２内には電源コード５を介して電力供給されるイオン発生装置１０が取り付けられる。イオン発生装置１０の放電電極１１ａ、１１ｂから正イオン及び負イオンが放出される。
【００４９】  上記構成の美顔器４１において、吸水した加湿部２５を装着した容器４２を使用者の顔面に接触して運転を開始させると、イオン発生装置１０が駆動される。これにより、容器４２内に加湿された空気が充満し、正イオン及び負イオンが加湿された空気に自然拡散して含まれる。そして、開口部４２ａを介して使用者の肌表面には正イオン及び負イオンが加湿された空気とともに接触する。
【００５０】
従って、第１実施形態と同様の効果を得ることができる。また、容器４２がカップ状に形成され、容器４２を把持して肌表面に開口面４２ａの周縁が押し当てられるので、簡単に肌表面にイオンを接触して保湿効果を得ることができる。
【産業上の利用可能性】
【００５１】
本発明によると、肌表面にイオンを照射する美顔器に利用することができる。
【符号の説明】
【００５２】
１、４１  美顔器
２    本体部
３    操作部
４    送風通路
５    吸込口
６    吹出口
１０    イオン発生装置
１１ａ、１１ｂ  放電電極
１２ａ、１２ｂ  対抗電極
２１    水タンク
２２    貯水トレイ
２３    加湿フィルタ
４２    容器
４４    パッキン
【図１】
0005385958.tif 000002
【図２】
0005385958.tif 000003
【図３】
0005385958.tif 000004
【図４】
0005385958.tif 000005
【図５】
0005385958.tif 000006
【図６】
0005385958.tif 000007